(57)【特許請求の範囲】
【請求項１】
座部に対する上下方向の相対的な位置が変化する単一の背もたれ部と、
前記座部に対する上下方向の相対的な位置が一定であり、前記背もたれ部の正面側に対面して配置された被施術者支持部と、
が備えられ、
前記背もたれ部の位置が変化する際、前記背もたれ部の下端が前記被施術者支持部の上方部よりも下方に配置される、
ことを特徴とする理美容用椅子。
【請求項２】
前記被施術者支持部の上方部に弾性部材が備えられた、
ことを特徴とする請求項１に記載された理美容用椅子。
【請求項３】
前記被施術者支持部が、下方部を軸として上方部が前記背もたれ部から離れる、
ことを特徴とする請求項１または請求項２に記載された理美容用椅子。
【請求項４】
前記背もたれ部と間を空けた位置で前記被施術者支持部が着脱される被着脱部が備えられ、この被着脱部の、前記座部に対する上下方向の相対的な位置が一定である、
ことを特徴とする請求項１から請求項３のいずれか１項に記載された理美容用椅子。
【請求項５】
前記背もたれ部と前記被施術者支持部との間が、下方部から上方部に渡ってほぼ一定であり、１０ｍｍ以下である、
ことを特徴とする請求項１、請求項２、請求項１または請求項２に従属する請求項４のいずれか１項に記載された理美容用椅子。
【発明の詳細な説明】
【技術分野】
【０００１】
本発明は、理美容施設で整髪や美顔などの美容術を受ける被施術者が着座する理美容用椅子に関するものである。
【背景技術】
【０００２】
従来、医療施設において診察を受ける患者が座る椅子として、下記特許文献１に記載された医療用診療椅子がある。この医療用診療椅子によれば、医者が患者の背中を診察する際、背もたれが下方に移動して座部の後方下部に収容されることで、背もたれの長さが変化する。
【０００３】
上記した医療用診療椅子の他にも、着座者の座高に応じて背もたれを上下に移動させ、背もたれの長さを変化させることができる椅子の構造として、例えば下記特許文献２に記載されたシートバック構造がある。このシートバック構造によれば、シートバックが上下に分割され、上部シートバックが下部シートバックに対して上方に移動することで背もたれの長さが変化する。
【先行技術文献】
【特許文献】
【０００４】
【特許文献１】特開２０１１−１２０６６９号公報
【特許文献２】特開平１１−２７６２９５号公報
【発明の概要】
【発明が解決しようとする課題】
【０００５】
しかし、上記した特許文献１に記載された医療用診療椅子によれば、背もたれが上下に移動することによって、患者の衣服が引っ張られて服装が乱れる場合がある。
【０００６】
同様に、上記した特許文献２に記載されたシートバック構造によれば、上部シートバックが下部シートバックに対して上方に移動すると、上部シートバックが上方に移動すると共に着座者の衣服が引っ張られて服装が乱れる場合がある。また、上部シートバックが上方に移動すると上部シートバックと下部シートバックとの間に空間が形成されるため、着座者がシートバックに寄りかかると座り心地が悪くなる場合がある。さらに、上部シートバックが下方に移動して上部シートバックと下部シートバックとの間が狭められると、着座者の衣服が挟まれる場合や、子供の身体の一部が挟まれる場合もあり、危険である。特に、理美容施設であれば、整髪時に着用されるカリフ（整髪時に髪の毛が衣服に付着することを防ぐために着用する布）によってシートバックが隠れ、周囲が気付かないうちに身体の一部が挟まれてしまう場合がある。
【０００７】
本発明は、上記の実情に鑑みて提案されたものである。すなわち、服装を乱すことなく背もたれ部を動かすことができ、また、安全で快適な座り心地を維持することができる理美容用椅子の提供を目的とする。
【課題を解決するための手段】
【０００８】
上記目的を達成するために、本発明に係る理美容用椅子は、座部に対する上下方向の相対的な位置が変化する背もたれ部と、前記座部に対する上下方向の相対的な位置が一定であり、前記背もたれ部の正面側に対面して配置された被施術者支持部と、が備えられた、ことを特徴とする。
【０００９】
本発明に係る理美容用椅子は、前記被施術者支持部に弾性部材が備えられた、ことを特徴とする。
【００１０】
本発明に係る理美容用椅子は、前記被施術者支持部が、下方部を軸として上方部が前記背もたれ部から離れる、ことを特徴とする。
【００１１】
本発明に係る理美容用椅子は、前記背もたれ部と間を空けた位置で前記被施術者支持部が着脱される被着脱部が備えられた、ことを特徴とする。
【００１２】
上記目的を達成するために、本発明に係る理美容用椅子は、前記背もたれ部と前記被施術者支持部との間が１０ｍｍ以下である、ことを特徴とする。
【発明の効果】
【００１３】
本発明に係る理美容用椅子は上記した構成である。この構成により、理美容用椅子に被施術者が着座すると、背もたれ部の正面側に対面して配置された被施術者支持部に被施術者の衣服が接触する。背もたれ部の位置が変化しても、衣服が接触した被施術者支持部は、座部に対する上下方向の相対的な位置が一定であるため、衣服が引っ張られず被施術者の服装が乱れない。したがって、被施術者の服装を乱すことなく背もたれ部を動かすことができる。
【００１４】
また、背もたれ部と被施術者支持部とが対面した二重構造であるため、背もたれ部と被施術者支持部とが上下方向において連続している。したがって、上下方向において背もたれ部と被施術者支持部との間に隙間が形成されず、よって被施術者の身体の一部が挟まれることがなく、安全で快適な座り心地を維持することができる。
【００１５】
本発明に係る理美容用椅子は、被施術者支持部に弾性部材が備えられている。この構成により、例えば背もたれ部が傾倒し、理美容用椅子が、いわゆるフルフラットの状態に変形した場合、被施術者の背面に弾性部材が接触する。したがって、被施術者支持部を設けることにより生じる段差を被施術者が感じることを軽減し、快適な被施術環境を提供することができる。
【００１６】
本発明に係る理美容用椅子は、被施術者支持部が、下方部を軸として上方部が背もたれ部から離れるものである。この構成により、仮に被施術者の衣服や、整髪時に着用するカリフが、背もたれ部と被施術者支持部とが対面する隙間に挟まれた場合であっても、被施術者支持部が背もたれ部から離れることで衣服やカリフが解放される。したがって、安全で快適な座り心地を維持することができる。
【００１７】
本発明に係る理美容用椅子は、背もたれ部と間を空けた位置で被施術者支持部が着脱される被着脱部が備えられている。この構成により、背もたれ部は被施術者支持部と対面した状態で、座部に対する上下方向の相対的な位置が変化し、一方、被施術者支持部は座部に対する上下方向の相対的な位置が一定である。よって、衣服が引っ張られず被施術者の服装が乱れない。したがって、被施術者の服装を乱すことなく背もたれ部を動かすことができる。
【００１８】
本発明に係る理美容用椅子は、背もたれ部と被施術者支持部との間が１０ｍｍ以下である。この構成により、背もたれ部と被施術者支持部とが対面する隙間に、衣服やカリフが挟まれ難い。したがって、安全で快適な座り心地を維持することができる。
【図面の簡単な説明】
【００１９】
【図１】本発明の実施形態に係る理美容用椅子の外観が示された外観斜視図である。
【図２】本発明の実施形態に係る理美容用椅子の外観が示された外観斜視図である。
【図３】本発明の実施形態に係る理美容用椅子の外観が示され、座部に対する上下方向における背もたれ部の相対的な位置が変化した状態が示された背もたれ部状態変化斜視図である。
【図４】本発明の実施形態に係る理美容用椅子の外観が示され、座部に対する上下方向における背もたれ部の相対的な位置がさらに変化した状態が示された背もたれ部状態変化斜視図である。
【図５】本発明の実施形態に係る理美容用椅子の外観が示され、被施術者支持部が下方部を軸として上方部が背もたれ部から離れた状態が示された被施術者支持部態変化斜視図である。
【図６】本発明の実施形態に係る理美容用椅子の外観が示され、被施術者支持部が下方部を軸として上方部が背もたれ部から離れた状態が示された被施術者支持部態変化斜視図および拡大図である。
【図７】本発明の実施形態に係る理美容用椅子の外観が示され、背もたれ部と被施術者支持部との間にカバー部が備えられた外観斜視図である。
【図８】本発明の実施形態に係る理美容用椅子の外観が示され、被施術者支持部が外された外観斜視図である。
【図９】本発明の実施形態に係る理美容用椅子の被施術者支持部の外観が示された外観図である。
【図１０】本発明の実施形態に係る理美容用椅子の被施術者支持部の内部構造の一部が露出した部分内部構造図である。
【図１１】本発明の実施形態に係る理美容用椅子の被施術者支持部の内部構造が示された内部構造図である。
【発明を実施するための形態】
【００２０】
以下に、本発明の実施形態に係る理美容用椅子を図面に基づいて説明する。図１および図２は、本発明の実施形態に係る理美容用椅子１０が示されている。図３および図４は、背もたれ部５が上方に移動した状態が示されている。図５および図６は、被施術者支持部が背もたれ部から離れた状態が示されている。図９、図１０および図１１は、被施術者支持部７が示されている。なお、以下の説明では、座部に着座した被施術者の正面側を前方とし、被施術者の背面側を後方とし、座部に対して鉛直方向を上下方向とする。
【００２１】
図１および図２に示されているとおり、本実施形態に係る理美容用椅子１０は、次の各部が備えられている。すなわち、理美容用椅子１は、基台部２の上に椅子部３が取り付けられ、この椅子部３が、着座者である被施術者（図示省略）が座る座部４と、この座部４の後方に配置されて上方に向けて起立した背もたれ部５と、この背もたれ部５の正面側に対面して配置された被施術者支持部７と、座部４の左右に配置された肘置き部９とから構成されている。
【００２２】
図３および図４に示されているとおり、背もたれ部５は、背もたれ支持部（図示省略）を介して座部４に取り付けられ、座部４に対する上下方向の相対的な位置が変化する。すなわち、背もたれ部５は、座部４に対して上下方向に移動することで高さが変化する。また、背もたれ部５は、座部４に対して後方に傾倒し、座部４と同一平面上に配置される。これにより、理美容用椅子１は、いわゆるフルフラット状態に変形する。
【００２３】
図９、図１０および図１１に示されているとおり、被施術者支持部７はほぼ板状であり、幅が背もたれ部５とほぼ同じに形成されると共に、被施術者の腰部または背中辺りを覆う大きさに形成されている。被施術者支持部７は、下方部１１が軸支される構造であり、上方部１０に布バネなどの弾性部材６が取り付けられている。図５に示されているとおり、被施術者支持部７は、上方部１０が、下方部１１を軸として前方に傾倒し、背もたれ部５から離れる。なお、被施術者支持部７は、座部４に対する上下方向の相対的な位置が一定である。すなわち、被施術者支持部７は、下方部１１を軸として支持され、座部４に対する上下方向への移動が規制されている。
【００２４】
図５および図６に示されているとおり、背もたれ部５と被施術者支持部７との間に、被着脱部８が配置されている（図８参照）。被着脱部８は、例えば棒状の磁石などであり、座部４の後方に取り付けられて上方に向けて起立している。被着脱部８により、被施術者支持部７は背もたれ部５との間が空けられ、背もたれ部５と間を空けた位置で被着脱部８に着脱される。背もたれ部５と被施術者支持部７との間は、１０ｍｍ以下、好ましくは８ｍｍ以下である。
【００２５】
図７は、背もたれ部と被施術者支持部との間にカバー部１２が備えられた理美容用椅子１が示されている。図７に示されているとおり、背もたれ部５と被施術者支持部７とは、カバー部１２によって連接されている。すなわち、カバー部１２はシート状であり、被施術者支持部７の上方部１０（図９および図１０参照）に連接されると共に、背もたれ部５に連接されている。被施術者支持部７が背もたれ部５の下方部１１を軸として前方に傾倒し、背もたれ部５から離れた場合であっても、カバー部１２によって、背もたれ部５と被施術者支持部７との間が遮蔽される。
【００２６】
以上のとおり、本実施形態に係る理美容用椅子１が構成されている。
【００２７】
次に、本実施形態に係る理美容用椅子１の効果を作用と共に説明する。
【００２８】
上記したとおり、本実施形態に係る理美容用椅子１によれば、背もたれ部５は、座部４に対して上下方向に移動することで高さが変化する。一方、背もたれ部５の正面側に対面して配置された被施術者支持部７は、下方部１１が軸支される構造であり、上方部１０が、下方部１１を軸として前方に傾倒し、背もたれ部５から離れる。背もたれ部５と被施術者支持部７との間は、被着脱部８が配置されている。被着脱部８により、被施術者支持部７は背もたれ部５との間が空けられ、背もたれ部５と間を空けた位置で被着脱部８に着脱される。この構成により、理美容用椅子１に被施術者が着座すると、背もたれ部５の正面側に対面して配置された被施術者支持部７に被施術者の衣服が接触する。背もたれ部５の高さが変化しても、衣服が接触した被施術者支持部７は、座部４に対する高さが一定であるため、衣服が引っ張られず被施術者の服装が乱れない。したがって、被施術者の服装を乱すことなく背もたれ部を動かすことができる。
【００２９】
また、背もたれ部５と被施術者支持部７とが対面した二重構造であるため、背もたれ部５と被施術者支持部７とが上下方向において連続している。したがって、上下方向において背もたれ部５と被施術者支持部７との間に隙間が形成されず、よって被施術者の身体の一部が挟まれることがなく、安全で快適な座り心地を維持することができる。
【００３０】
さらに、被施術者支持部７は、上方部１０が、下方部１１を軸として前方に傾倒し、背もたれ部５から離れる構成であるため、仮に被施術者の衣服やカリフが、背もたれ部５と被施術者支持部７とが対面する隙間に挟まれた場合であっても、被施術者支持部７が背もたれ部５から離れることで衣服やカリフが解放される。したがって、安全で快適な座り心地を維持することができる。
【００３１】
本実施形態に係る理美容用椅子１によれば、被施術者支持部７は、上方部１０に布バネなどの弾性部材６が取り付けられている。この構成により、背もたれ部５が傾倒して理美容用椅子１がフルフラットの状態に変形した場合、被施術者の背面に弾性部材６が接触する。したがって、被施術者支持部７を設けることにより生じる段差を被施術者が感じることを軽減し、快適な被施術環境を提供することができる。
【００３２】
本実施形態に係る理美容用椅子１によれば、背もたれ部５と被施術者支持部７との間は、１０ｍｍ以下、好ましくは８ｍｍ以下である。この構成により、背もたれ部５と被施術者支持部７とが対面する隙間に、衣服やカリフが挟まれ難い。したがって、安全で快適な座り心地を維持することができる。
【００３３】
本実施形態に係る理美容用椅子１によれば、シート状のカバー部１２が、被施術者支持部７の上方部１０に連接されると共に、背もたれ部５に連接されている。この構成により、被施術者支持部７が背もたれ部５の下方部１１を軸として前方に傾倒し、背もたれ部５から離れた場合であっても、カバー部１２によって、背もたれ部５と被施術者支持部７との間が遮蔽される。したがって、安全で快適な座り心地を維持することができる。
【００３４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３５】
１                理美容用椅子
２                基台部
３                椅子部
４                座部
５                背もたれ部
６                弾性部材
７                被施術者支持部
８                被着脱部
９                肘置き部
１０              上方部
１１              下方部
１２              カバー部
【図１】
0006412389.tif 000002
【図２】
0006412389.tif 000003
【図３】
0006412389.tif 000004
【図４】
0006412389.tif 000005
【図５】
0006412389.tif 000006
【図６】
0006412389.tif 000007
【図７】
0006412389.tif 000008
【図８】
0006412389.tif 000009
【図９】
0006412389.tif 000010
【図１０】
0006412389.tif 000011
【図１１】
0006412389.tif 000012